(57)【要約】【課題】写真撮影所でデジタル撮影された各ユーザの大量のデジタル画像を写真撮影所に負担をかけることなく保管・管理可能にし、かつ、写真プリントの再注文にも対応できるようにする。【解決手段】写真館１００でのデジタル撮影により得られたオリジナル画像の画像データをスクランブル鍵を使用してスクランブルをかけ、これをＣＤ−Ｒ１４８に記録する。また、ＣＤ−Ｒ１４８には、前記オリジナル画像よりも画像サイズが小さいプレビュー画像も記録し、このＣＤ−Ｒ１４８をユーザに渡す。一方、写真館１００では、ＣＤ−Ｒ１４８を所有するユーザ３００のユーザＩＤとＣＤ−Ｒ１４８のオリジナル画像のスクランブルに使用したスクランブル鍵とを関連付けてデータベースで管理しており、写真館１００は、このデータベースで管理されているスクランブル鍵によって、ユーザ３００が持参したＣＤ−Ｒ１４８に記録されたオリジナル画像の画像データを復号し、これを活用する。【選択図】          図１
2005011199.tif 000002
【特許請求の範囲】
【請求項１】
写真撮影所でのデジタル撮影により得られたオリジナル画像の画像データを暗号鍵を用いて暗号化し、これをユーザに提供するリムーバブルの記録媒体に記録するステップと、
前記オリジナル画像から該オリジナル画像よりも画像サイズが小さいプレビュー画像を作成し、該プレビュー画像の画像データを前記記録媒体に記録するステップと、
前記記録媒体を所有するユーザの識別情報と該記録媒体のオリジナル画像の暗号化に使用した暗号鍵とを関連付けてデータベースで管理するステップと、
を含むことを特徴とするデジタル画像の管理方法。
【請求項２】
前記記録媒体を所有するユーザの識別情報を前記記録媒体に記録することを特徴とする請求項１に記載のデジタル画像の管理方法。
【請求項３】
前記記録媒体に記録されたプレビュー画像を閲覧するためのビューアソフトを前記記録媒体に記録することを特徴とする請求項１又は２に記載のデジタル画像の管理方法。
【請求項４】
前記記録媒体は、ＣＤ又はＤＶＤ又はメモリーカードであることを特徴とする請求項１、２又は３に記載のデジタル画像の管理方法。
【請求項５】
請求項１乃至４のいずれかに記載のデジタル画像の管理方法で管理されているデジタル画像のプリント注文を受け付けるプリント注文受付方法において、
前記記録媒体を所有するユーザから該記録媒体に記録されている所望のオリジナル画像のプリント注文を受け付けるステップと、
前記記録媒体を所有するユーザの識別情報に基づいて前記データベースから前記記録媒体のオリジナル画像の画像データの暗号化に用いた暗号鍵を取り出すステップと、
前記記録媒体に記録されている前記プリント注文されたオリジナル画像の画像データを前記取り出した暗号鍵を使用して復号化するステップと、
を含むことを特徴とするプリント注文受付方法。
【請求項６】
プリント注文を受け付けたオリジナル画像の画像データに対して適正なプリントを行うための画像処理を施すステップと、前記画像処理の内容を示す画像処理情報を、該ユーザの識別情報及び前記オリジナル画像のファイル名と関連付けて前記データベースに登録するステップとを有することを特徴とする請求項５に記載のプリント注文受付方法。
【請求項７】
前記オリジナル画像の画像データと、該オリジナル画像の画像データに対する前記画像処理の内容を示す画像処理情報と、前記プリント注文の内容を示す注文情報とを現像所に送ることを特徴とする請求項５又は６に記載のプリント注文受付方法。
【発明の詳細な説明】
【０００１】
【発明の属する技術分野】
本発明はデジタル画像の管理方法及びプリント注文受付方法に係り、特に写真館や撮影スタジオ等で行われるデジタル撮影により得られたデジタル画像の管理方法及びプリント注文受付方法に関する。
【０００２】
【従来の技術】
従来、図７に示すように写真館１０のデジタルカメラ１２でデジタル撮影が行われると、撮影終了後に直ちにデジタル撮影によって得られた画像を写真館内のディスプレイ１４に表示させ、写真プリントする画像をユーザに選択して貰うためのプレゼンテーションが行われる。
【０００３】
写真館１０では、画像処理装置１６により前記プレゼンテーションによって選択されたデジタル画像に対して色補正、階調補正、トリミング処理等の画像処理を行う。そして、この画像処理済のデジタル画像とともに、プリント枚数、プリントサイズ等の注文情報をメディアに記録し、これを現像所２０に送る。
【０００４】
現像所２０では、写真館１０から受け取ったデジタル画像をユーザの注文情報にしたがってデジタルプリンター２２によりデジタルプリントを行い、このデジタルプリントした写真プリントを写真館１０に引き渡すようにしている。尚、現像所２０のデジタルプリンター２２を使用せずに、写真館１０内のデジタルプリンタ１８でプリントする場合もある。
【０００５】
また、従来、画像、音楽等のデジタルコンテンツを暗号化してＣＤ−ＲＯＭ等に記録し、これをユーザに無償で配布し、ユーザがデジタルコンテンツの再生を希望する場合には、デジタルコンテンツ提供者に電子決済するためのユーザ識別情報等を送り、デジタルコンテンツ提供者から前記デジタルコンテンツを復号するための復号鍵を受信するようにしたデジタルコンテンツの配布システムが提案されている（特許文献１）。
【０００６】
【特許文献１】
特開２００２−３３４１７２号公報
【０００７】
【発明が解決しようとする課題】
ところで、写真館や撮影スタジオ等で行われるデジタル撮影では、一人のユーザに対してポーズや衣装や背景等を変えて多数の撮影が行われており、撮影で疲れたユーザがさらに撮影コマを選ぶのは大変な作業であった。またその場にいない人に対してのプレゼンテーションが出来ず、欲しいプリントを逃してしまったり、再注文の手間が必要であったり問題があった。撮影後の画像データに関しては写真プリントの注文を受け付けるために、前記撮影で取得した全てのオリジナル画像の画像データを長期間バックアップしておくのは、写真撮影所の設備や管理上の負荷が大きいという問題がある。
【０００８】
一方、オリジナル画像の画像データをＣＤ−Ｒ等の記録媒体に記録してユーザに渡してしまうと、ユーザから再注文が来なくなる可能性がある。
【０００９】
尚、特許文献１に記載のデジタルコンテンツの配布システムは、デジタルコンテンツが暗号化されて記録されたＣＤ−ＲＯＭをユーザに配布し、ユーザがデジタルコンテンツの再生を希望する場合には、ユーザ識別情報をデジタルコンテンツ提供者に通知し、デジタルコンテンツ提供者から復号鍵を受け取ることで特定のユーザに対してのみデジタルコンテンツを再生させるシステムであり、写真撮影所で撮影された各ユーザのオリジナル画像の画像データをバックアップするシステムではない。
【００１０】
本発明はこのような事情に鑑みてなされたもので、写真館や撮影スタジオ等の写真撮影所でデジタル撮影された各ユーザの大量のデジタル画像を、写真撮影所に負担をかけることなく保管・管理することができ、写真プリントの再注文にも良好に対応することができるデジタル画像の管理方法及びプリント注文受付方法を提供することを目的とする。
【００１１】
【課題を解決するための手段】
前記目的を達成するために請求項１に係るデジタル画像の管理方法は、写真撮影所でのデジタル撮影により得られたオリジナル画像の画像データを暗号鍵を用いて暗号化し、これをユーザに提供するリムーバブルの記録媒体に記録するステップと、前記オリジナル画像から該オリジナル画像よりも画像サイズが小さいプレビュー画像を作成し、該プレビュー画像の画像データを前記記録媒体に記録するステップと、前記記録媒体を所有するユーザの識別情報と該記録媒体のオリジナル画像の暗号化に使用した暗号鍵とを関連付けてデータベースで管理するステップと、を含むことを特徴としている。
【００１２】
即ち、写真撮影所でのデジタル撮影により得られたオリジナル画像の画像データを暗号鍵を用いて暗号化し、これをユーザに提供するリムーバブルの記録媒体に記録する。前記記録媒体には、更に前記オリジナル画像よりも画像サイズが小さいプレビュー画像も記録しておき、この記録媒体をユーザに渡す。従って、オリジナル画像の画像データは、各ユーザが保管・管理することになる。ユーザは、パーソナルコンピュータ等を使用して前記記録媒体に記録されたプレビュー画像を閲覧することができるが、暗号化されたオリジナル画像の画像データを活用することはできない。
【００１３】
一方、写真撮影所では、前記記録媒体を所有するユーザの識別情報と該記録媒体のオリジナル画像の暗号化に使用した暗号鍵とを関連付けてデータベースで管理している。従って、写真撮影所は、前記データベースで管理されている暗号鍵によって、ユーザが持参した前記記録媒体に記録された暗号化されたオリジナル画像の画像データを復号し、これを活用することができる。
【００１４】
請求項２に示すように請求項１に記載のデジタル画像の管理方法において、前記記録媒体を所有するユーザの識別情報を前記記録媒体に記録することを特徴としている。これにより、前記データベースで管理されているユーザの暗号鍵の取り出しを容易に行なうことができる。
【００１５】
請求項３に示すように請求項１又は２に記載のデジタル画像の管理方法において、前記記録媒体に記録されたプレビュー画像を閲覧するためのビューアソフトを前記記録媒体に記録することを特徴としている。これにより、ユーザは特別のビューアソフトを自分で準備することなく、前記記録媒体をパーソナルコンピュータにセットするだけでプレビュー画像を閲覧することができる。
【００１６】
請求項４に示すように請求項１、２又は３に記載のデジタル画像の管理方法において、前記記録媒体はＣＤ又はＤＶＤ又はメモリーカードであることを特徴としている。
【００１７】
請求項５に係る発明は、請求項１乃至４のいずれかに記載のデジタル画像の管理方法で管理されているデジタル画像のプリント注文を受け付けるプリント注文受付方法において、前記記録媒体を有するユーザから該記録媒体に記録されている所望のオリジナル画像のプリント注文を受け付けるステップと、前記記録媒体を所有するユーザの識別情報に基づいて前記データベースから前記記録媒体のオリジナル画像の画像データの暗号化に用いた暗号鍵を取り出すステップと、前記記録媒体に記録されている前記プリント注文されたオリジナル画像の画像データを前記取り出した暗号鍵を使用して復号化するステップと、を含むことを特徴としている。
【００１８】
前述したようにユーザは、前記記録媒体に記録されたプレビュー画像を自宅のパーソナルコンピュータ等を利用して閲覧することができるため、写真プリントの焼増し注文の他に、新規の写真プリントの注文も可能である。そして、プリントしたい画像があれば、前記記録媒体を写真撮影所に持ち込んでプリント注文を行なう。尚、プリント注文は、ネットワーク上から行なっても良い。
【００１９】
写真撮影所では、前記記録媒体を所持するユーザの識別情報に基づいてデータベースからユーザ固有の暗号鍵を取り出し、この暗号鍵を使用して前記記録媒体に記録されているプリント注文されたオリジナル画像の画像データを復号化する。このようにして復号化されたオリジナル画像の画像データは、写真プリントに活用される。
【００２０】
請求項６に示すように請求項５に記載のプリント注文受付方法において、プリント注文を受け付けたオリジナル画像の画像データに対して適正なプリントを行うための画像処理を施すステップと、前記画像処理の内容を示す画像処理情報を、該ユーザの識別情報及び前記オリジナル画像のファイル名と関連付けて前記データベースに登録するステップとを有することを特徴としている。
【００２１】
即ち、写真撮影所では、プリント注文を受け付けたオリジナル画像に対してトリミング、色補正、レタッチなどの画像処理を施すが、この画像処理の内容を示す画像処理情報を、ユーザの識別情報及びオリジナル画像のファイル名と関連付けてデータベースに登録しておく。これにより、写真プリントの焼増し注文を受け付けた場合には、前記データベースに登録した画像処理情報を使用することで、写真プリントの仕上がりを同じにすることができる。また、該画像処理情報は撮影所毎の撮影条件、処理条件、それにユーザの嗜好などが反映されており、写真プリントを注文したユーザはこれらの効果を含めた仕上がりプリントを何度でも受けとることができる。
【００２２】
請求項７に示すように請求項５又は６に記載のプリント注文受付方法において、前記オリジナル画像の画像データと、該オリジナル画像の画像データに対する前記画像処理の内容を示す画像処理情報と、前記プリント注文の内容を示す注文情報とを現像所に送ることを特徴としている。尚、現像所には、オリジナル画像の画像データ等が記録された記録媒体を送ってもよいし、オリジナル画像の画像データ等をネットワークを介して送信してもよい。また、画像処理情報を元に現像所で画像処理を施し、処理済みの画像と注文情報を現像所に送っても良い。
【００２３】
【発明の実施の形態】
以下添付図面に従って本発明に係るデジタル画像の管理方法及びプリント注文受付方法の好ましい実施の形態について詳説する。
【００２４】
図１は本発明に係るデジタル画像の管理方法及びプリント注文受付方法のワークフローを示す図である。
【００２５】
同図に示すように、写真館１００には、ユーザをデジタル撮影するためのデジタルカメラ１１０、画像処理装置１２０、及び情報管理装置１５０が設けられている。
【００２６】
写真館１００の撮影者は、デジタルカメラ１１０を操作し、一人のユーザに対してポーズや衣装等を変えて通常、数十枚分の撮影を行う。このようにしてデジタル撮影されたデジタル画像を用いてプレゼンテーションが行なわれる。即ち、デジタル撮影されたデジタル画像を、写真館内のディスプレイ１１２に順次表示させ、写真プリントする画像をユーザに選択して貰う。写真プリントする画像をＷｅｂ  サーバなどにアップロードしユーザにＷｅｂ  ブラウザなどを用いて選択させることもできる。
【００２７】
また、前記デジタル撮影されたデジタル画像（オリジナル画像）は、デジタルカメラ１１０のメディアを介して、又はＵＳＢケーブル等の通信ケーブルを介して画像処理装置１２０のハードディスク装置に格納される。
【００２８】
図２は画像処理装置１２０のハードウェア構成例を示すブロック図である。
【００２９】
同図に示すように画像処理装置１２０は、主として各構成要素の動作を制御する中央処理装置（ＣＰＵ）１２２と、装置の制御プログラムが格納されたり、プログラム実行時の作業領域となる主メモリ１２４と、オペレーティングシステム（ＯＳ）、周辺機器のデバイスドライバ、オリジナル画像に対して適正なプリントを行うための画像処理を施す画像処理ソフトウエア、ユーザの画像等が格納されるハードディスク装置１２６と、ＣＤ−Ｒ／ＲＷ装置１２８と、メモリカード１１１が着脱されるカード挿入口を有するカードインターフェース１３０と、表示用データを一時記憶する表示メモリ１３２と、この表示メモリ１３２からの画像データ、文字データ等により画像や文字等を表示するＣＲＴモニタや液晶モニタ等のモニタ装置１３４と、キーボード１３６と、位置入力装置としてのマウス１３８と、マウス１３８の状態を検出してモニタ装置１３４上のマウスポインタの位置やマウス１３８の状態等の信号をＣＰＵ１２２に出力するマウスコントローラ１４０と、スクランブル／デスクランブル部１４２と、通信インターフェース１４４と、上記各構成要素を接続するバス１４６とから構成されている。
【００３０】
プレゼンテーションによってプリント注文を受け付け、前記画像処理装置１２０にメモリカード１１１からカードＩ／Ｆ１３０を介してオリジナル画像の取り込みが終了すると、操作者は、モニタ装置１３４に表示された加工用の画像を見ながら画像処理装置１２０を操作し、プリント注文を受け付けたオリジナル画像に対して適正なプリントを行うための画像処理（色補正、階調補正、トリミング処理、赤目処理、美白処理等）を施す。
【００３１】
その後、写真館１００は、プリント注文を受け付けたオリジナル画像の画像データと、前記画像処理装置１２０において各オリジナル画像に対して施した画像処理の情報（画像処理情報）と、プリントサイズ、プリント枚数等の注文情報とをリムーバブルの記録媒体に記録し、これを取引先の現像所２００に送る。尚、前記オリジナル画像の画像データ等をネットワークを介して現像所２００に送信するようにしてもよい。また、現像所２００に写真プリントの作成を依頼する代わりに、プリント注文を受け付けたオリジナル画像の画像処理後の画像データを、写真館１００内のプリンタ（図示せず）に送り、ここで写真プリントを作成してもよい。
【００３２】
現像所２００には、図示しない画像処理装置及びデジタル・ミニラボ機２１０が設置されており、画像処理装置は、写真館１００から記録媒体等を介して受け取ったオリジナル画像の画像データと、そのオリジナル画像に対して施した画像処理情報とに基づいてオリジナル画像の画像データの画像処理を行い、この画像処理済みの画像データとプリントサイズ、プリント枚数等の情報をデジタル・ミニラボ機２１０に送る。
【００３３】
デジタル・ミニラボ機２１０は、画像処理済みの画像データに基づいて銀塩方式のカラーペーパーにＲ，Ｇ，Ｂレーザーで走査露光して画像をプリントする。現像所２００にて作成された写真プリントは、ユーザ３００の自宅に直接宅配され、又はプリント作成を依頼した写真館１００に配送される。
【００３４】
次に、写真館１００でのデジタル撮影により得られたオリジナル画像の画像データの管理方法について説明する。
【００３５】
図２に示したように、写真館１００でのデジタル撮影が終了すると、デジタルカメラ１１０のメディアであるメモリカード１１１からカードＩ／Ｆ１３０を介してユーザ毎のオリジナル画像の画像データをハードディスク装置１２６に取り込む。
【００３６】
画像処理装置１２０は、オリジナル画像の画像データ（この実施の形態では、デジタルカメラ１１０の撮像素子のＲ，Ｇ，Ｂのカラーフィルタ配列のままの生データ（ＲＡＷデータ））から、このＲＡＷデータよりも画像サイズの小さいプレビュー画像を作成する。尚、プレビュー画像の画像サイズは、例えば、３２０×４８０ピクセルの縦長（通常、ポートレート写真は縦に撮影する場合が多いため縦長）である。
【００３７】
次に、ＣＤ−Ｒ／ＲＷ装置１２８により、ハードディスク装置１２６に格納されているユーザ毎のＲＡＷデータ及びそのＲＡＷデータから作成したプレビュー画像の画像データ等をＣＤ−Ｒ１４８（図４参照）に記録する。
【００３８】
この記録時に、スクランブル／デスクランブル部１４２からユーザ毎にスクランブル鍵を生成し、ＲＡＷデータに対してスクランブル鍵を用いてスクランブルをかけてＣＤ−Ｒ１４８に記録する。一方、プレビュー画像については、スクランブルをかけずに、ＪＰＥＧ（Ｊｏｉｎｔ  Ｐｈｏｔｏｇｒａｐｈｉｃ  Ｅｘｐｅｒｔｓ  Ｇｒｏｕｐ）形式でＣＤ−Ｒ１４８に記録する。更に、図４に示すようにＣＤ−Ｒ１４８には、ＣＤ−Ｒ１４８に記録されたプレビュー画像を汎用のパーソナルコンピュータのモニタで閲覧するためのビューアソフトと、ユーザの識別情報（ユーザＩＤ）とが記録される。
【００３９】
このようにして作成されたＣＤ−Ｒ１４８は、ユーザ３００に無償（写真館１００での撮影基本料に含まれている）で渡される。
【００４０】
尚、ＣＤ−Ｒ１４８に記録するユーザＩＤは、ユーザ情報等を管理する情報管理装置１５０から通信Ｉ／Ｆ１４４を介して取得することができ、また、ＲＡＷデータのスクランブルに使用したスクランブル鍵の情報は、通信Ｉ／Ｆ１４４を介して情報管理装置１５０に送られる。
【００４１】
次に、情報管理装置１５０について説明する。
【００４２】
情報管理装置１５０は、ユーザ情報、スクランブル鍵、及び画像処理情報を管理するもので、図３に示すように主として通信インターフェース１５２と、制御部１５４と、キーボード、マウス等の操作部１５６と、ユーザＩＤ、住所、氏名（名称）等のユーザ情報を管理するユーザ情報データベース１５８と、各ユーザ毎のスクランブル鍵を管理するスクランブル鍵データベース１６０と、画像処理装置１２０においてＲＡＷデータに対して施したプリント用の画像処理の情報（画像処理情報）を管理する画像処理情報データベース１６２とから構成されている。
【００４３】
制御部１５４は、情報管理装置１５０内の各部を統括、制御するもので、管理ソフト等を含み、画像処理装置１２０から各ユーザのＲＡＷデータのスクランブルに使用したスクランブル鍵の情報を取り込むと、そのスクランブル鍵の情報をユーザＩＤに関連付けてスクランブル鍵データベース１６０に保存したり、また、画像処理装置１２０から各ＲＡＷデータに対して施すべきプリント用の画像処理情報を取り込むと、その画像処理情報をユーザＩＤ、及び画像ファイル名に関連付けて画像処理情報データベース１６２に保存する。
【００４４】
また、制御部１５４は、画像処理装置１２０から通信インターフェース１５２を介してユーザのスクランブル鍵の取得要求を受入すると、ユーザＩＤに基づいてスクランブル鍵データベース１６０から対応するスクランブル鍵の情報を読み出し、これを画像処理装置１２０に渡し、同様にユーザのＲＡＷデータに施した画像処理情報の取得要求を受入すると、ユーザＩＤ、撮影日、ファイル名の情報に基づいて画像処理情報データベース１６２から対応する画像処理情報を読み出し、これを画像処理装置１２０に渡す。
【００４５】
尚、図５及び図６は、それぞれスクランブル鍵データベース１６０及び画像処理情報データベース１６２のデータ構造の一例を示している。
【００４６】
次に、ユーザ３００が写真館１００に持ち込んだＣＤ−Ｒ１４８からプリント注文を受け付けるプリント注文受付方法について説明する。
【００４７】
ユーザ３００は、写真館１００で作成されたＣＤ−Ｒ１４８を自宅に持ち帰り、自宅のパーソナルコンピュータにＣＤ−Ｒ１４８をセットすることで、ＣＤ−Ｒ１４８に記録されたプレビュー画像を閲覧することができる。これにより、ユーザ３００は、ＣＤ−Ｒ１４８に記録されたプレビュー画像を閲覧しながら、好きな時間にプリント注文する画像を時間をかけて慎重に選択することができる。尚、プレビュー画像のオリジナルのＲＡＷデータは、スクランブルがかけられているため、開くことはできない。
【００４８】
そして、ユーザ３００は、ＣＤ−Ｒ１４８に記録された画像のプリント注文を依頼する場合には、写真館１００にＣＤ−Ｒ１４８を持ち込んでプリント注文を行なう。尚、プリント注文は、ユーザ情報や注文画像のファイル情報等を写真館１００にネットワークを介して送信することで、ネットワーク上でプリント注文を行なってもよいが、この場合でもＣＤ−Ｒ１４８を写真館１００に持ち込む必要がある。
【００４９】
写真館１００では、ユーザ３００が持ち込んだＣＤ−Ｒ１４８に記録されている画像のプリント注文が行なわれると、このＣＤ−Ｒ１４８を画像処理装置１２０のＣＤ−Ｒ／ＲＷ装置１２８（図２参照）にセットする。
【００５０】
画像処理装置１２０は、まずＣＤ−Ｒ／ＲＷ装置１２８によりＣＤ−Ｒ１４８に記録されているユーザＩＤを読み込み、ユーザＩＤとともにそのユーザのスクランブル鍵の要求を情報管理装置１５０に送信する。図３に示すように情報管理装置１５０は、スクランブル鍵の取得要求を受入すると、ユーザＩＤに基づいてスクランブル鍵データベース１６０から対応するスクランブル鍵の情報を読み出し、これを画像処理装置１２０に送信する。
【００５１】
情報管理装置１５０からスクランブル鍵を取得すると、画像処理装置１２０のスクランブル／デスクランブル部１４２は、前記スクランブル鍵を使用してＣＤ−Ｒ１４８に記録されているスクランブルがかかっているＲＡＷデータを復号し、復号したＲＡＷデータをハードディスク装置１２６に一時保存する。
【００５２】
その後、操作者は、画像処理装置１２０を操作し、プリント注文を受けた復号したＲＡＷデータに対して適正なプリントを行うための画像処理を施す。そして、プリント注文を受け付けたＲＡＷデータと、このＲＡＷデータに対して施した画像処理の情報と、注文情報とを記録媒体に記録し、これを現像所２００に送る。
【００５３】
また、ＲＡＷデータに対して施した画像処理の情報は、ユーザＩＤ及び画像ファイル名とともに画像処理装置１２０から情報管理装置１５０に送られ、情報管理装置１５０の画像処理情報データベース１６２で管理される。
【００５４】
尚、過去に写真館１００でプリント注文した画像について、再度プリント注文された場合には、その画像のＲＡＷデータに対する画像処理情報は、情報管理装置１５０の画像処理情報データベース１６２で管理されているため、この画像処理情報データベース１６２から対応する画像処理情報を読み出して使用する。これにより、適正なプリントを行うための画像処理を施す操作者の負担が軽減するとともに、ユーザは過去にプリント注文して取得した写真プリントと同じ仕上がりの写真プリントを取得することができる。
【００５５】
この実施の形態では、写真館１００のワークフローにプリント注文を受け付けるためのプレゼンテーションが組み込まれているが、写真館１００でデジタル撮影した画像を閲覧することができるＣＤ−Ｒをユーザに提供することで、後日、プリント注文を受け付けることができ、写真館１００のワークフローからプレゼンテーションを切り離すことができる。
【００５６】
また、画像処理装置１２０と情報管理装置１５０とを別々に設けるようにしたが、両者を一体化してもよく、また１台の情報管理装置１５０を複数の画像処理装置１２０で共用するようにしてもよい。
【００５７】
更に、この実施の形態では、ユーザに提供する記録媒体としてＣＤ−Ｒを使用したが、これに限らず、ＤＶＤ等の他のリムーバブルの記録媒体でもよい。また、オリジナル画像データとしてＲＡＷデータを使用したが、ＪＰＥＧ，ＴＩＦＦ，ＢＭＰ等の他の形式のものでもよく、更にスクランブル鍵を使用してオリジナル画像データにスクランブルをかけてオリジナル画像データをユーザ等が利用できないようにする場合に限らず、他の暗号鍵でオリジナル画像データを利用できないようにしてもよい。
【００５８】
【発明の効果】
以上説明したように本発明によれば、写真館や撮影スタジオ等の写真撮影所でデジタル撮影された各ユーザのオリジナル画像の画像データを暗号鍵を用いて暗号化し、これをリムーバブルの記録媒体に記録してユーザに提供するようにしたため、各ユーザの大量のオリジナル画像の画像データは、各ユーザが自分で保管・管理することになり、写真撮影所によるオリジナル画像の画像データのバックアップの負担を軽減することができる。
【００５９】
また、前記記録媒体には、オリジナル画像よりも画像サイズが小さいプレビュー画像も記録するようにしたため、ユーザは、パーソナルコンピュータ等を使用して前記記録媒体に記録されたプレビュー画像を閲覧することができ、これにより好きな時間にプリント注文する画像を時間をかけて慎重に選択することができる。
【００６０】
一方、写真撮影所では、再注文時にはデータベースで管理されている暗号鍵によって、ユーザが持参した記録媒体に記録された暗号化されたオリジナル画像の画像データを復号し、これを活用することができる。更に、写真撮影所では、プリント注文を受け付けたオリジナル画像に対してトリミング、色補正、レタッチなどの画像処理を施すが、この画像処理の内容を示す画像処理情報をデータベースに登録しておくようにしたため、写真プリントの焼増し注文を受け付けた場合には、データベースに登録した画像処理情報を使用することができるとともに、写真プリントの仕上がりを同じにすることができる。
【図面の簡単な説明】
【図１】本発明に係るデジタル画像の管理方法及びプリント注文受付方法を示すワークフローを示す図
【図２】画像処理装置のハードウェア構成例を示すブロック図
【図３】情報管理装置のハードウェア構成例を示すブロック図
【図４】ＣＤ−Ｒに記録されるデータのイメージ図
【図５】スクランブル鍵データベースを示す図
【図６】画像処理情報データベースを示す図
【図７】従来のプリント注文を受け付けるためのプレゼンテーションを含む写真館のワークフローを示す図
【符号の説明】
１００…写真館、１１０…デジタルカメラ、１２０…画像処理装置、１４８…ＣＤ−Ｒ、１５０…情報管理装置、２００…現像所、２１０…デジタル・ミニラボ機、３００…ユーザ
【図１】
2005011199.tif 000003
【図２】
2005011199.tif 000004
【図３】
2005011199.tif 000005
【図４】
2005011199.tif 000006
【図５】
2005011199.tif 000007
【図６】
2005011199.tif 000008
【図７】
2005011199.tif 000009